(57)【特許請求の範囲】
【請求項１】
筐体と、
前記筐体に設けられたベース本体と、
前記ベース本体のモータ設置側となる側壁に突設された円筒形状のモータ軸通路と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記ベース本体に設けたモータ設置部に取り付けられ、前記モータ軸通路を通る出力軸が前記クロスフローファンと連結されるモータと、
前記モータブラケットの一端部をモータ軸中心方向へ折曲した防振部材受部と、を備え、
前記モータ軸通路の外周面と、前記防振部材受部の先端面との間に、前記先端面の内側に前記外周面を嵌合可能な微小隙間を形成するとともに、
前記モータ軸通路の先端面を前記モータの防振部材と非接触となるように設定したことを特徴とする室内機ユニット。
【請求項２】
筐体と、
前記筐体に設けられたベース本体と、
前記ベース本体のモータ設置側となる側壁に突設された円筒形状のモータ軸通路と、
前記モータ軸通路のモータ側端部に設けられたモータ設置部と、
前記ベース本体に設置された熱交換器と、
前記ベース本体に回転自在に支持され、室内の空気を導入して前記熱交換器を通過させた空調空気を前記室内に送出するモータ駆動のクロスフローファンと、
モータブラケットを介して前記モータ設置部に取り付けられ、前記モータ軸通路を通る出力軸が前記クロスフローファンと連結されるモータと、
前記モータ設置部の側壁面からモータ設置方向へ突出して設けられたリング状突起部と、
前記モータブラケットの前記ベース本体側となる一端部をモータ軸中心方向へ折曲した防振部材受部と、を備え、
前記リング状突起部の外周面と、前記防振部材受部の先端面との間に、前記先端面の内側に前記外周面を嵌合可能な微小隙間を形成するとともに、
前記リング状突起部の突出高さを前記モータの防振部材と非接触となるように設定したことを特徴とする室内機ユニット。
【請求項３】
前記モータ設置部は、前記側壁面を底面として段差部を形成する凹部形状であることを特徴とする請求項２に記載の室内機ユニット。
【請求項４】
請求項１〜３のいずれか１項に記載の室内機ユニットと、
冷媒を圧縮するための圧縮機、及び冷媒と室外の空気との熱交換を行わせるための室外熱交換器を有する室外機ユニットと、
前記室内機ユニット及び前記室外機ユニットを連結するとともに、前記室内機ユニット及び前記室外機ユニットの間で冷媒を循環させるための冷媒配管と、を備えていることを特徴とする空気調和機。
【発明の詳細な説明】
【技術分野】
【０００１】
本発明は、室内機ユニット及び空気調和機に係り、特に、室内機ユニットにおけるクロスフローファンの軸部遮風構造に関する。
【背景技術】
【０００２】
空気調和機は、室内空間等の空調（冷房、暖房及び除湿）を行う装置であり、一般的には主な構成要素として室外機ユニット及び室内機ユニットを備えている。
室内機ユニットは、室内から導入した空気（フレッシュエア）を熱交換器に通して空調した空調空気を送出するため、筐体内にモータで駆動されるクロスフローファンを備えている。このクロスフローファンは、室内機ユニットの筐体に設けられたベース本体に回転自在に支持されている。そして、ベース本体の一側部にはモータブラケットを介してモータが取り付けられ、このモータの出力軸がベース本体の側壁を貫通してクロスフローファンに連結されている。
【０００３】
このような空気調和機の室内機ユニットでは、クロスフローファンの軸部において、冷房運転時に筐体のベースとモータブラケットとの隙間から除湿されていないフレッシュエアが誘引（バイパス）されると、このフレッシュエアがベース本体内部で冷やされてクロスフローファンに結露する。
従来の室内機ユニットにおいては、上述したフレッシュエアの誘引を防止するため、ベースとモータブラケットとの間に遮風部品を貼り付けて隙間を塞ぐクロスフローファンの軸部遮風構造が採用されている。なお、従来の遮風部品としては、例えば発泡ポリスチレンのように、弾力性のある素材が使用されている。
【０００４】
また、下記の特許文献１は、ケーシング開口部とモータの軸受部とに装着される筒状の防振部材が、筒状のケーシング開口部に当接して装着される構造を開示している。
【先行技術文献】
【特許文献】
【０００５】
【特許文献１】特開２００４−１４４３１８号公報（〔図３〕など）
【発明の概要】
【発明が解決しようとする課題】
【０００６】
上述したように、空気調和機の室内機ユニットにおいては、冷房運転時にクロスフローファンの軸部からフレッシュエアが誘引されることに起因する結露を防止するため、ベースとモータブラケットの隙間に遮風部品を張り付ける軸部遮風構造を採用している。このような従来構造は、ベースとモータブラケットとの間に別体の遮風部品を貼り付けるものであるから、軸部遮風構造を改良して部品点数及び組立作業工数の低減を実現することが望まれる。
【０００７】
一方、特許文献１に開示された従来構造は、防振部材をケーシング開口部に当接させているので、ゴム等を用いる防振部材の防振性能に悪影響を及ぼすことが懸念される。
本発明は、上記の課題を解決するためになされたもので、その目的とするところは、部品点数及び組立作業工数を低減でき、しかも防振部材の防振性能に悪影響を及ぼすことのないクロスフローファンの軸部遮風構造を有する室内機ユニット及びこの室内機ユニットを備えた空気調和機を提供することにある。
【課題を解決するための手段】
【０００８】
本発明は、上記の課題を解決するため、下記の手段を採用した。
本発明に係る室内機ユニットの第１態様は、筐体と、前記筐体に設けられたベース本体と、前記ベース本体のモータ設置側となる側壁に突設された円筒形状のモータ軸通路と、前記ベース本体に設置された熱交換器と、前記ベース本体に回転自在に支持され、室内の空気を導入して前記熱交換器を通過させた空調空気を前記室内に送出するモータ駆動のクロスフローファンと、モータブラケットを介して前記ベース本体に設けたモータ設置部に取り付けられ、前記モータ軸通路を通る出力軸が前記クロスフローファンと連結されるモータと、前記モータブラケットの一端部をモータ軸中心方向へ折曲した防振部材受部と、を備え、前記モータ軸通路の外周面と、前記防振部材受部の先端面との間に、前記先端面の内側に前記外周面を嵌合可能な微小隙間を形成するとともに、前記モータ軸通路の先端面を前記モータの防振部材と非接触となるように設定したことを特徴とするものである。
【０００９】
このような本発明によれば、モータ軸通路の外周面と、防振部材受部の先端面との間に、先端面の内側に外周面を嵌合可能な微小隙間を形成するとともに、モータ軸通路の先端面を前記モータの防振部材と非接触となるように設定したので、既存部品の形状変更により部品点数及び組立作業工数を低減できる。すなわち、クロスフローファンの軸部遮風構造は、ベース本体やモータブラケットの既存部品を形状変更または延長して一体化されたモータ軸通路及び防振部材受部により構成されるので、部品点数や組立作業工数が増加することはなく、しかも、防振部材に非接触となるため、防振性能に悪影響を及ぼすことのないクロスフローファンの軸部遮風構造となる。
【００１０】
本発明に係る室内機ユニットの第２態様は、筐体と、前記筐体に設けられたベース本体と、前記ベース本体のモータ設置側となる側壁に突設された円筒形状のモータ軸通路と、前記モータ軸通路のモータ側端部に設けられたモータ設置部と、前記ベース本体に設置された熱交換器と、前記ベース本体に回転自在に支持され、室内の空気を導入して前記熱交換器を通過させた空調空気を前記室内に送出するモータ駆動のクロスフローファンと、モータブラケットを介して前記モータ設置部に取り付けられ、前記モータ軸通路を通る出力軸が前記クロスフローファンと連結されるモータと、前記モータ設置部の側壁面からモータ設置方向へ突出して設けられたリング状突起部と、前記モータブラケットの前記ベース本体側となる一端部をモータ軸中心方向へ折曲した防振部材受部と、を備え、前記リング状突起部の外周面と、前記防振部材受部の先端面との間に、前記先端面の内側に前記外周面を嵌合可能な微小隙間を形成するとともに、前記リング状突起部の突出高さを前記モータの防振部材と非接触となるように設定したことを特徴とするものである。
【００１１】
このような本発明によれば、リング状突起部の外周面と、防振部材受部の先端面との間に、先端面の内側に外周面を嵌合可能な微小隙間を形成するとともに、リング状突起部の突出高さをモータの防振部材と非接触となるように設定したので、既存部品の形状変更により部品点数及び組立作業工数を低減できる。すなわち、クロスフローファンの軸部遮風構造は、ベース本体やモータブラケットの既存部品を形状変更して一体化されたリング状突起部及び防振部材受部により構成されるので、部品点数や組立作業工数が増加することはなく、しかも、防振部材に非接触となるため、防振性能に悪影響を及ぼすことのないクロスフローファンの軸部遮風構造となる。
この場合、前記モータ設置部は、前記側壁面を底面として段差部を形成する凹部形状であることが好ましく、これにより、流路抵抗を増して軸部の遮風性能を向上させることが可能になる。
【００１２】
本発明に係る空気調和機は、上述した本発明の室内機ユニットと、冷媒を圧縮するための圧縮機、及び冷媒と室外の空気との熱交換を行わせるための室外熱交換器を有する室外機ユニットと、前記室内機ユニット及び前記室外機ユニットを連結するとともに、前記室内機ユニット及び前記室外機ユニットの間で冷媒を循環させるための冷媒配管と、を備えている冷媒を圧縮するための圧縮機、及び冷媒と室外の空気との熱交換を行わせるための室外熱交換器を有する室外機ユニットと、前記室内機ユニット及び前記室外機ユニットを連結するとともに、前記室内機ユニット及び前記室外機ユニットの間で冷媒を循環させるための冷媒配管と、を備えていることを特徴とするものである。
【００１３】
このような本発明によれば、室内機ユニットが、ベース本体やモータブラケットの既存部品を形状変更して一体化されたリング状突起部及び防振部材受部により構成されたクロスフローファンの軸部遮風構造を有するので、部品点数や組立時の作業工数を低減してフレッシュエアの誘引を防止できる。また、リング状突起部は、モータの防振部材と非接触であるから、防振部材の防振性能に悪影響を受けることもない。
【発明の効果】
【００１４】
上述した本発明の室内機ユニットによれば、クロスフローファンの軸部遮風構造が、既存部品を形状変更して一体化されたリング状突起部及び防振部材受部により構成されるので、部品点数及び組立作業工数を低減してフレッシュエアの誘引を確実に防止することができ、しかも、防振部材の防振性能に悪影響を受けることもない。この結果、クロスフローファンにおいては、誘引したフレッシュエアに起因する結露を確実に防止できるため、室内機ユニット及びこの室内機ユニットを備えた空気調和機の商品性向上に顕著な効果が得られる。
【図面の簡単な説明】
【００１５】
【図１】本発明の室内機ユニット及び空気調和機に関する一実施形態を示す図であり、（ａ）はクロスフローファンの軸部遮風構造に係る第１態様を示す要部拡大断面図、（ｂ）は（ａ）のＡ部を拡大して示す図である。
【図２】室内機ユニットのベース本体にモータを取り付けた状態を示す図である。
【図３】ベース本体をモータ取付方向から見た側面図である。
【図４】図１（ｂ）に示したクロスフローファンの軸部遮風構造に係る他の実施形態（第２態様）を示す図である。
【図５】空気調和機の構成例を示す斜視図である。
【発明を実施するための形態】
【００１６】
以下、本発明に係る室内機ユニット及び空気調和機の一実施形態を図面に基づいて説明する。
図５に示すように、室内空間等の空調（冷房、暖房及び除湿）を行う空気調和機１は、室外機ユニット１０及び室内機ユニット２０を主な構成要素とする装置である。室外機ユニット１０及び室内機ユニット２０の間は、冷媒配管５０により接続されて閉回路の冷媒流路が形成されている。また、室外機ユニット１０及び室内機ユニット２０の間は、電源及び制御用の電線（不図示）によっても接続されている。
なお、図中の符号５１は、運転操作用のリモートコントローラであり、これにより空気調和機１の各種運転状態が設定されるようになっている。
【００１７】
室外機ユニット１０は、略直方体形状とした筐体１１の内部に、冷媒を圧縮するための圧縮機１２、冷媒と室外の空気との間で熱交換を行わせるための室外熱交換器１３、及び室外熱交換器１３における冷媒と室外の空気との熱交換を促進させる室外ファン１４を備えている。また、筐体１１の内部には、図示しない四方弁、電子膨張弁及び制御部等も配設されている。
室外熱交換器１３は、四方弁を操作して冷媒の循環方向を切り替えることにより、冷房運転時は凝縮器として、また、暖房運転時は蒸発器として機能する熱交換器である。
【００１８】
室内機ユニット２０は、横長の略直方体形状とした筐体２１を備えている。この筐体２１は、ベース本体２２、壁に設置された状態においてベース本体２２にその前方部位を上下、左右、及び前面から被うように取り付けられたフロントカバー２３、及びフロントカバー２３の前面に取り付けられたフロントパネル２４によって概略構成されている。
【００１９】
室内機ユニット２０は、室内から空調前の空気（以下、「フレッシュエア」と呼ぶ）を取り入れるためにフロントカバー２３に設けられた吸込グリル（吸込口）２５、吸込グリル２５から取り入れられたフレッシュエアを冷却または加熱するために設けられた室内熱交換器２６、室内熱交換器２６で熱交換された空気（以下、「空調空気」と呼ぶ）を室内へ戻すためにフロントパネル２４に設けられた吹出口２７、吸込グリル２５からフレッシュエアを取り入れるとともに、吹出口２７から室内に空調空気を吹き出させるために設けられたクロスフローファン２８を主な構成要素として備えている。
【００２０】
室内熱交換器２６及びクロスフローファン２８は、筐体２１の内部においてベース本体２２に支持されている。
また、図中の符号２９はフィルターであり、吸込グリル２５を通過して室内熱交換器２６に導かれるフレッシュエア中に含まれる塵・ゴミ等の不純物を取り除くために設けられている。なお、吹出口２７には、空調空気の吹出方向を調整するため、図示しないルーバー及びフラップが設けられている。
室内熱交換器２６は、冷媒の循環方向に応じて、冷房運転時は蒸発器として、また、暖房運転時は凝縮器として機能する熱交換器である。
【００２１】
さて、上述した構成の室内機ユニット２０においては、例えば図１及び図２に示すように、モータ３０を駆動源とするクロスフローファン２８が、室内機ユニット２０の筐体２１を構成するベース本体２２に回転自在に支持されている。このクロスフローファン２８は、吸込グリル２５と吹出口２７との間を連結するようにしてベース本体２２に形成された空気流路内に配置されている。そして、クロスフローファン２８とモータ３０との連結部は、以下に説明するように構成された遮風構造となっている。
【００２２】
以下では、図１〜３に基づいて、クロスフローファン２８とモータ３０とが連結される軸部遮風構造の一実施形態（第１態様）を詳細に説明する。なお、クロスフローファン２８は、ベース本体２２の一側部（図示の例では正面から見て右側）でモータ３０と連結されている。
クロスフローファン２８は、ベース本体２２の側壁２２ａに設けた軸穴２２ｂを貫通するモータ３０の出力軸３１と連結される。この出力軸３１は、ベース本体２２のモータ設置側となる側壁２２ａにおいて、軸穴２２ｂの外周部からモータ３０の設置方向へ突設された円筒形状のモータ軸通路６０を通る。このモータ軸通路６０は、ベース本体２２の一部を構成する部分である。
【００２３】
さらに、モータ軸通路６０のモータ側端部には、モータブラケット４０を介してモータ３０を取り付けるモータ設置部７０が一体に設けられている。このモータ設置部７０は、ゴムや樹脂等の防振部材３２を介してモータ本体部より小径となるモータ３０の端部であるモータ小径部を収納するため、本実施形態では、軸穴２２ｂ及びモータ軸通路６０と同芯の円筒形状を有するモータ端部収納部７１を備えている。
【００２４】
モータ端部収納部７１は、モータ３０の軸方向両端に設けられた軸受部に対応するモータ小径部の一方（クロスフローファン２８側）を収納する空間である。また、モータ設置部７０は、モータ端部収納部７１に連続して、モータ３０の大径部であるモータ本体部を収納するモータ中央収納部７２を備えている。すなわち、本実施形態のモータ設置部７０は、モータ軸通路６０の端部に連結された側壁面７３を底面とし、この側壁面７３からモータ３０側に形成された略有底円筒形状の凹部を有する。なお、側壁面７３は、出力軸３１を通すモータ軸通路６０と略直角に交差する面である。
【００２５】
そして、図示のモータ設置部７０は、モータ端部収納部７１の円筒部内壁面７１ａと、モータ中央収納部７２のモータ３０側を向く底面部７２ａとにより構成され、側壁面７３から底面部７２ａまで円筒部内壁面７１ａを介して階段状に折れ曲がった断面形状の壁面を形成する段差部７０ａを有している。しかし、本実施形態の軸部遮風構造は、このような段差部７０ａを有するモータ設置部７０の構造に限定されることはない。なお、図示の構成例では、側壁面７３と底面部７３ａとが平行になっているが、特に限定されることはない。
また、モータ端部収納部７１に収納されるモータ３０は、モータブラケット４０との間に介在させてモータ小径部の外周等に配設された防振部材３２を備えている。
【００２６】
モータ３０は、側壁２２ａの外壁側において、モータ設置部７０に対してモータブラケット４０を介して取り付けられる。このモータブラケット４０は、例えばポリプロピレンのような弾性を有する樹脂成形部品であり、モータ３０の周囲を覆う壁面に適宜開口部を設けた略円筒形状とされ、例えばモータ３０の出力軸３１の軸方向に対し左半分側と右半分側に分割可能な構造となっている。
そして、図示の実施形態では、このモータブラケット４０においても、モータ３０の軸方向両端に設けられている軸受部周辺のモータ小径部に対応させたブラケット小径部４１と、モータ３０の本体部分に対応して拡径させたブラケット大径部４２とを備えている。なお、モータブラケット４０とベース本体２２との間は、図示しないボルトを用いて固定される。
【００２７】
また、モータブラケット４０のクロスフローファン２８側となる一側壁面には、出力軸３１を貫通させる円形の開口部４３が設けられている。この開口部４３は、モータブラケット４０の一端部（ベース本体２２側）であるブラケット小径部４１の先端部をモータ軸中心方向へ折曲し、側壁２２ａと略平行なフランジ状の防振部材受部４４を形成することにより、防振部材受部４４の先端面４４ａにより形成されたものである。すなわち、防振部材受部４４は、防振部材３２の保持部材として機能するブラケット小径部４１を延長してモータ軸中心方向へ折曲し、出力軸３１を通す開口部４３を形成する部分である。この場合、防振部材受部４４の先端面４４ａは、モータ３０の出力軸３１の外周面に沿う面である。
なお、防振部材３２は、ブラケット小径部４１の内面には密着するものの、防振部材受部４４との間には、互いに接触しないよう小さい隙間が設けられている。
【００２８】
一方、モータ設置部７０の側壁面７３には、すなわち、モータ端部収納部７１の底面を形成する側壁面７３には、モータ設置方向（出力軸３１の軸方向）へ突出するリング状突起部７４がモータ軸通路６０と同軸に設けられている。
ところで、図示の構成例では、モータ軸通路６０より径の大きいリング状突起部７４としているが、モータ軸通路６０と同径にしてもよい。この場合、側壁面７３に突設したリング状突起部７４を採用してもよいが、図４に示す他の実施形態（第２態様）のように、モータ３０側へ延長した構造のモータ軸通路６０Ａとしてもよい。なお、図４に示す他の実施形態では、図示しないモータ設置部７０がベース本体２２の適所と連結して設けられた構造となっている。
また、出力軸３１を通すことができれば、モータ軸通路６０より小径とすることも可能である。
【００２９】
そして、リング状突起部７４の外周面７４ａと、防振部材受部４４の先端面４４ａとの間には、先端面４４ａの内側に外周面７４ａを嵌合可能な微小隙間Ｓが形成されるような寸法設定をする。
すなわち、図１（ａ）に示すように、リング状突起部７４の外径をＤｂとすれば、防振部材受部４４の先端面４４ａにより形成される開口部４３の直径Ｄｍが外径Ｄｂより若干大きな値（Ｄｂ＜Ｄｍ）とされ、外径Ｄｂと直径Ｄｍとの差は２Ｓ（Ｄｍ−Ｄｂ＝２Ｓ）となる。
なお、以下の説明において、図４に示した第２態様の構造では、リング状突起部７４をモータ軸通路６０Ａ、リング状突起部７４の外周面７４ａをモータ軸通路６０Ａの外表面６０ａ、そして、Ｄｂをモータ軸通路６０Ａの外径と読み替えればよい。
【００３０】
このような微少隙間Ｓの形成は、ベース本体２２のモータ設置部７０に対しモータブラケット４０の組み付けを可能にするためであり、換言すれば、リング状突起部７４の外周面７４ａに防振部材受部４４の先端面４４ａを嵌め込んで組立可能な寸法差を確保するものである。従って、微小隙間Ｓは、全くなくすことのできない寸法、すなわち０にすることができない寸法であるが、極力０に近づけた寸法とすることが望ましい。
【００３１】
上述した微小隙間Ｓは、開口部４３の直径Ｄｍ及び外径Ｄｂを適宜調整することにより、容易に設定可能である。
また、リング状突起部７４の突出高さｈは、モータ３０の防振部材３２と非接触となるように設定されている。このような突出高さｈの設定は、リング状突起部７４が防振部材３２と接触することにより、防振性能を低下させるような悪影響が生じることを防止したものである。
なお、図４に示した第２態様の構造では、モータ軸通路６０を延長したモータ軸通路６０Ａのモータ３０側の先端面６０ｂが、突出高さｈのリング状突起部７４と同様に、モータ３０の防振部材３２と非接触となるように設定されている。
【００３２】
このような構成とすることにより、リング状突起部７４の外周面７４ａまたはモータ軸通路６０の外表面６０ａと、防振部材受部４４の先端面４４ａとの間には、先端面４４ａの内側に外周面７４ａまたは外表面６０ａを嵌合可能な微小隙間Ｓが形成されている。このため、冷房運転時において、クロスフローファン２８の軸部から誘引されるフレッシュエアの流路には必ず微少隙間Ｓが存在し、従って、流路は微少隙間Ｓによって流路断面積が限定される。
【００３３】
この結果、微少隙間Ｓを通過してクロスフローファン２８に到達するフレッシュエアの量は大幅に低減されるため、クロスフローファン２８の軸部から誘引されるフレッシュエアに起因する結露の防止または抑制が可能な軸部遮風構造となる。特に、段差部７０ａを形成するモータ設置部７０を採用すれば、フレッシュエアの流路が階段状に折れ曲げられたものとなるので、流路抵抗を増して軸部遮風構造の遮風性能をより一層向上させることができる。
【００３４】
このような軸部遮風構造は、既存部品のベース本体２２及びモータブラケット４０について、リング状突起部７４や防振部材受部４４を追加する形状変更、あるいは、モータ軸通路６０の延長及び防振部材受部４４を追加する形状変更により成立するので、遮風部品を貼り付ける従来構造と比較して部品点数及び組立作業工数を低減できる。
すなわち、クロスフローファン２８の軸部遮風構造は、ベース本体２２やモータブラケット４０の既存部品を形状変更して一体化されたリング状突起部７４及び防振部材受部４４により構成されるので、部品点数や組立作業工数が増加することはなく、しかも、防振部材３２に非接触としたため、防振部材３２の防振性能に悪影響を及ぼすこともない。
【００３５】
この結果、クロスフローファン２８においては、冷房運転時に誘引したフレッシュエアが冷やされて結露することを略確実に防止できるため、結露した水滴が空調空気とともに室内に飛散するようなこともない。従って、上述した室内機ユニット２０及びこの室内機ユニット２０を備えた空気調和機１は、部品点数や組立作業工数の低減とともに、信頼性や商品性を向上させることができる。
なお、本発明は上述した実施形態に限定されることはなく、その要旨を逸脱しない範囲内において適宜変更することができる。
【符号の説明】
【００３６】
１    空気調和機
１０    室外機ユニット
１１，２１    筐体
１２    圧縮機
１３    室外熱交換器
１４    室外ファン
２０    室内機ユニット
２２    ベース本体
２２ａ    側壁
２２ｂ    軸穴
２３    フロントカバー
２４    フロントパネル
２５    吸込みグリル（吸込口）
２６    室内熱交換器
２７    吹出口
２８    クロスフローファン
３０    モータ
３１    出力軸
３２    防振部材
４０    モータブラケット
４１    ブラケット小径部
４２    ブラケット大径部
４３    開口部
４４    防振部材受部
４４ａ    先端面
６０，６０Ａ    モータ軸通路
６０ａ    外表面
６０ｂ    先端面
７０    モータ設置部
７０ａ    段差部
７１    モータ端部収納部
７１ａ    円筒部内壁面
７２    モータ中央収納部
７２ａ    底面部
７３    側壁面
７４    リング状突起部
７４ａ    外周面
Ｓ    微小隙間
ｈ    突出高さ
【図１】
0006369724.tif 000002
【図２】
0006369724.tif 000003
【図３】
0006369724.tif 000004
【図４】
0006369724.tif 000005
【図５】
0006369724.tif 000006